(57)【要約】【課題】  撮影対象の位置に最も近い位置情報を有する撮影端末を自動的に選定し、その撮影端末に撮影依頼することにより、撮影対象を迅速に撮影可能にした映像蓄積装置を得る。【解決手段】  撮影対象が発生した場合に、予め登録されたビデオフォン６ａ，６ｂの位置情報のうちの撮影対象の位置に近い位置情報を有するビデオフォン６ｂを検索し、検索したビデオフォン６ｂにネットワーク４，５を通じて撮影依頼するようにしたので、撮影対象の位置に最も近い位置情報を有するビデオフォン６ｂを自動的に選定し、そのビデオフォン６ｂに撮影依頼することにより、選定されたビデオフォン６ｂの所持者は、撮影対象の位置に即座に到着することができ、撮影対象を迅速に撮影することができる。【選択図】        図１
2005051546.tif 000002
【特許請求の範囲】
【請求項１】
撮影端末からのネットワークを通じた登録依頼に応じてその撮影端末を登録する撮影端末登録手段と、
上記撮影端末登録手段により登録された撮影端末の位置情報をネットワークを通じて取得する位置情報取得手段と、
撮影対象が発生した場合に、上記位置情報取得手段により取得された撮影端末の位置情報のうちのその撮影対象の位置に近い位置情報を有する撮影端末を検索し、その検索した撮影端末にネットワークを通じて撮影依頼する撮影依頼手段と、
上記撮影依頼手段により撮影依頼された撮影端末からネットワークを通じて映像が受信された場合に、その映像を蓄積する映像蓄積手段とを備えた映像蓄積装置。
【請求項２】
撮影依頼手段は、
撮影対象が発生した場合に、その撮影対象の位置に近い位置情報を有し、その位置情報が取得された時刻が現在の時刻に近い撮影端末を優先的に撮影依頼することを特徴とする請求項１記載の映像蓄積装置。
【請求項３】
映像蓄積手段は、
予め登録された撮影端末からネットワークを通じて映像が受信された場合に、その撮影端末が撮影依頼手段により撮影依頼された撮影端末ではなくても、その映像を蓄積することを特徴とする請求項１記載の映像蓄積装置。
【請求項４】
撮影端末からのネットワークを通じた登録依頼に応じてその撮影端末を登録する撮影端末登録手段と、
上記撮影端末登録手段により登録された撮影端末の位置情報をネットワークを通じて取得する位置情報取得手段と、
撮影対象が発生した場合に、上記位置情報取得手段により取得された撮影端末の位置情報のうちのその撮影対象の位置に近い位置情報を有する撮影端末を検索し、その検索した撮影端末にネットワークを通じて撮影依頼する撮影依頼手段と、
上記撮影依頼手段により撮影依頼された撮影端末からネットワークを通じて映像が受信された場合に、その映像と共にその撮影端末の位置情報を蓄積する映像蓄積手段と、
上記映像蓄積手段により蓄積された映像のうちの配信可能な映像を、その映像蓄積手段により蓄積された情報に基づいて、その映像の表題およびその撮影位置からなる配信映像一覧を作成し、視聴端末からのネットワークを通じた閲覧要求に応じてその配信映像一覧をその視聴端末に供給する配信映像一覧供給手段と、
視聴端末からのネットワークを通じた配信要求に応じてその配信映像一覧のうちのいずれか選択された映像をその視聴端末に配信する映像配信手段とを備えた映像蓄積配信装置。
【請求項５】
映像蓄積手段による撮影端末からネットワークを通じた映像の受信と、映像配信手段によるその受信された映像の視聴端末への配信とを同時に行うことを特徴とする請求項４記載の映像蓄積配信装置。
【請求項６】
配信映像一覧供給手段は、
視聴端末からのネットワークを通じた閲覧要求に応じてその視聴端末の位置情報をネットワークを通じて取得し、配信映像一覧の撮影位置が、その取得した視聴端末の位置情報に近い項目を優先的に配置されるように配信映像一覧を作成することを特徴とする請求項４記載の映像蓄積配信装置。
【発明の詳細な説明】
【技術分野】
【０００１】
この発明は、事件やイベント等の記録したい状況があった場合に、その状況を携帯電話に映像送受信機能が付いたビデオフォンを使用して記録し、映像蓄積配信装置へＴＶ電話を掛け、映像蓄積配信装置側で映像蓄積後またはそのまま不特定の視聴者に対し映像を配信する映像蓄積装置および映像蓄積配信装置に関するものである。
【背景技術】
【０００２】
従来の取材支援システムとしては、取材端末により取材対象を撮影し、その映像と共にその取材端末の位置情報を電子新聞サーバに送信し、電子新聞の作成においては、電子新聞サーバで受信された取材対象の映像および位置からなる情報について編集会議室で検討し、電子記事の編集後、その電子新聞の電子新聞サーバによる発行が行われる（例えば、特許文献１参照）。
【０００３】
【特許文献１】特開平８−３２２０９１号公報
【発明の開示】
【発明が解決しようとする課題】
【０００４】
従来の取材支援システムは以上のように構成されているので、取材端末により送信されるその取材端末の位置情報は、編集会議室において、取材端末により撮影された取材対象の映像の位置を認識するために用いられるものであり、取材端末の位置情報から取材対象に最も近い取材端末を自動的に選定することができないなどの課題があった。
【０００５】
この発明は上記のような課題を解決するためになされたもので、撮影対象の位置に最も近い位置情報を有する撮影端末を自動的に選定し、その撮影端末に撮影依頼することにより、撮影対象を迅速に撮影可能にした映像蓄積装置および映像蓄積配信装置を得ることを目的とする。
【課題を解決するための手段】
【０００６】
この発明に係る映像蓄積装置は、撮影対象が発生した場合に、位置情報取得手段により取得された撮影端末の位置情報のうちの撮影対象の位置に近い位置情報を有する撮影端末を検索し、その検索した撮影端末にネットワークを通じて撮影依頼する撮影依頼手段を備えたものである。
【発明の効果】
【０００７】
かかる構成によりこの発明によれば、撮影対象の位置に最も近い位置情報を有する撮影端末を自動的に選定し、その撮影端末に撮影依頼することにより、選定された撮影端末の所持者は、撮影対象の位置に即座に到着することができ、撮影対象を迅速に撮影することができる効果がある。
【発明を実施するための最良の形態】
【０００８】
以下、この発明の実施の一形態を説明する。
実施の形態１．
図１はこの発明の実施の形態１によるネットワークに接続された映像蓄積装置を示す構成図であり、図において、映像蓄積装置１は、各種情報を送受信するサーバ２と、各種情報を蓄積するデータベース３とを備えたものである。
映像蓄積装置１は、コンピュータネットワーク（以下、ネットワークと言う）４を通じて携帯ネットワーク（以下、ネットワークと言う）５に接続され、撮影機能を有するビデオフォン（撮影端末）６ａ，６ｂと音声情報、映像情報、および文字情報を送受信可能にされている。
この実施の形態１は、取材が許可されるようにビデオフォン６ａ，６ｂを登録し、それら登録されたビデオフォン６ａ，６ｂの位置情報をネットワーク４，５を通じて取得し、撮影対象が発生した場合に、その撮影対象の位置に近い位置情報を有するビデオフォンを検索し、その検索したビデオフォン６ｂに撮影依頼し、その撮影依頼したビデオフォン６ｂからの映像を蓄積するものである。
【０００９】
次に動作について説明する。
図２はビデオフォンの登録処理を示すフローチャートであり、先ず、ビデオフォン６ａの所有者は、自身が取材許可されるようにビデオフォン６ａを登録したい場合には、ネットワーク４，５を通じて映像蓄積装置１に接続し、ビデオフォン６ａの電話番号および端末ＩＤ等を送信する（ステップＳＴ１）。映像蓄積装置１では、そのサーバ２において、ビデオフォン６ａからのネットワーク４，５を通じた登録依頼に応じてビデオフォン６ａの電話番号および端末ＩＤ等をデータベース３のビデオフォン管理テーブルに登録する（ステップＳＴ２：撮影端末登録手段）。
図３はビデオフォン管理テーブルを示す説明図であり、図では、端末ＩＤおよび電話番号の他、所有者名および所有者情報が同時に登録されている。
【００１０】
図４はビデオフォンの位置情報の取得処理を示すフローチャートであり、先ず、映像蓄積装置１では、サーバ２において、データベース３に登録された図３に示したビデオフォン管理テーブルから端末ＩＤあるいは電話番号を一つ取り出し（ステップＳＴ１１）、そのビデオフォンの現在位置を携帯ネットワーク５に問い合わせる（ステップＳＴ１２）。ビデオフォンの位置情報が携帯ネットワーク５を通じて取得されれば、データベース３に保存された位置情報テーブルを更新する（ステップＳＴ１３：位置情報取得手段）。
図５は位置情報テーブルを示す説明図であり、図では、端末ＩＤに応じた位置情報（緯度）、位置情報（経度）、および位置計測時刻が保存されている。
なお、ビデオフォンの位置情報を携帯ネットワーク５を通じて取得する具体的な取得方法としては、基地局情報を用いる方法と、ＧＰＳ情報を用いる方法とがある。
基地局情報を用いる方法とは、ビデオフォンで通信している基地局の基地局ＩＤと、その基地局から受信される電波の電界強度をビデオフォンで検出し、基地局ＩＤおよび電界強度を携帯ネットワーク５に接続される位置情報演算配信装置に送信し、位置情報演算配信装置では、基地局ＩＤに応じた基地局の位置および電界強度からビデオフォンの位置情報（緯度、経度）を演算し、携帯ネットワーク５を通じて映像蓄積装置１に配信するものである。
また、ＧＰＳ情報を用いる方法とは、原子時計を有する複数のＧＰＳから現在時刻とＧＰＳＩＤが送信され、ビデオフォンが４つ以上のＧＰＳから同時に受信されたＧＰＳＩＤおよび時刻情報を携帯ネットワーク５に接続される位置情報演算配信装置に送信し、位置情報演算配信装置では、４つ以上のＧＰＳＩＤおよび時刻情報からビデオフォンの位置情報を演算し、携帯ネットワーク５を通じて映像蓄積装置１に配信するものである。
このように、ビデオフォン管理テーブルに登録されたビデオフォンの位置情報を携帯ネットワーク５を通じて逐次取得する。
【００１１】
図６は撮影対象が発生した場合の処理を示すフローチャートであり、先ず、映像蓄積装置１では、撮影対象が発生した場合にサーバ２において、データベース３の位置情報テーブルに保存されている位置情報の中から、撮影対象の現場近辺に存在するビデオフォンを検索する（ステップＳＴ２１）。
ここで、撮影対象の発生とは、何かの事件、事故、イベント等が発生し、その状況を即座に撮影したい状況が発生した場合である。この場合、イベントの発生の発見者から携帯端末やビデオフォンを用いてイベントの発生とその発生位置をネットワーク４，５を通じて映像蓄積装置１に通報し、その通報によりサーバ２がビデオフォンの検索を開始するようにしても良い。
ステップＳＴ２１において、撮影対象の現場近辺に存在するビデオフォン６ｂが検索されれば、そのサーバ２からビデオフォン６ｂに電話あるいはメールを送信し、ビデオフォン６ｂの所有者に対し撮影対象の撮影を依頼する（ステップＳＴ２２：撮影依頼手段）。なお、電話あるいはメールの内容には、撮影対象の発生位置に関する情報も含まれている。
【００１２】
ビデオフォン６ｂの所有者は、撮影対象の発生位置に関する情報を参考にして撮影対象の現場へ行き、映像蓄積装置１に接続し、ＴＶ電話機能を使いビデオフォン６ｂのカメラにより撮影対象を写す（ステップＳＴ２３）。
映像蓄積装置１のサーバ２では、ビデオフォン６ｂに接続されたら、その発信者番号等の情報を用い、撮影依頼を行った登録者かどうかを判定して、正しければ撮影依頼したビデオフォン６ｂからの音声情報、映像情報、および文字情報を、データベース３の蓄積映像情報テーブルに蓄積する（ステップＳＴ２４：映像蓄積手段）。
図７は蓄積映像情報テーブルを示す説明図であり、図では、撮影したビデオフォン６ｂの端末ＩＤ、受信された映像情報を蓄積する際に、その日時等から一意に付番されるコンテンツＩＤ、ビデオフォン６ｂの位置情報（緯度）、位置情報（経度）、ビデオフォン６ｂに接続された時刻等の撮影開始時刻、切断された時刻から接続された時刻を差し引いた時間等の撮影時間、ビデオフォン６ｂの所有者の入力による文字情報からなる映像情報のタイトル（表題）、一意に付加されるコンテンツファイル名が蓄積されている。
【００１３】
以上のように、この実施の形態１によれば、撮影対象が発生した場合に、予め登録されたビデオフォンの位置情報のうちの撮影対象の位置に近い位置情報を有するビデオフォンを検索し、検索したビデオフォンにネットワーク４，５を通じて撮影依頼するようにしたので、撮影対象の位置に最も近い位置情報を有するビデオフォンを自動的に選定し、そのビデオフォンに撮影依頼することにより、選定されたビデオフォンの所持者は、撮影対象の位置に即座に到着することができ、撮影対象を迅速に撮影することができる。
【００１４】
実施の形態２．
図８はこの発明の実施の形態２によるネットワークに接続された映像蓄積装置を示す構成図であり、構成については、図１と同等である。
この実施の形態２は、撮影対象が発生した場合に、その撮影対象の位置に近い位置情報を有し、その位置情報が取得された時刻が現在の時刻に近いビデオフォン６ｂを優先的に撮影依頼するようにしたものである。
【００１５】
次に動作について説明する。
図９は撮影対象が発生した場合の処理を示すフローチャートであり、先ず、映像蓄積装置１では、撮影対象が発生した場合にサーバ２において、データベース３の位置情報テーブルに保存されている位置情報の中から、撮影対象の現場近辺に存在するビデオフォンを検索する（ステップＳＴ２１）。
ステップＳＴ２１において、撮影対象の現場近辺に存在するビデオフォンが複数検索されれば、それら複数の候補を、その撮影対象の位置に近い位置情報を有し、その位置情報が取得された時刻が現在の時刻に近いビデオフォンが優先的に撮影依頼されるように、両者の条件を勘案して、複数の候補の撮影依頼の優先順位を決定する（ステップＳＴ３１）。
具体的な優先順位の決定方法としては、例えば、各候補について、撮影対象の位置と取得された位置情報との距離Ａを算出し、また、位置情報が取得された時刻と現在の時刻との時間差に、単位時間当たりの重みとなる距離を掛けて距離Ｂを算出し、さらに、距離Ａに距離Ｂを加えた距離Ｃを算出する。各候補を距離Ｃの小さい順に並べ、これを撮影依頼の優先順位とする等がある。
ステップＳＴ３１において、複数のビデオフォンの撮影依頼の優先順位が決定されれば、その優先順位でビデオフォンに対して撮影依頼する（ステップＳＴ３２：撮影依頼手段）。
図８では、優先順位１位のビデオフォン６ａに対して撮影依頼したが、応答が無かったため、優先順位２位のビデオフォン６ｂに対して撮影依頼し、ビデオフォン６ｂの撮影による映像を受信している例である。
なお、ビデオフォン６ｂから映像蓄積装置１への映像の伝送処理（ステップＳＴ２３）、および映像蓄積装置１での伝送された情報の蓄積映像情報テーブルへの蓄積処理（ステップＳＴ２４）は、上記実施の形態１と同様である。
【００１６】
以上のように、この実施の形態２によれば、撮影対象が発生した場合に、撮影対象の位置に近い位置情報を有し、位置情報が取得された時刻が現在の時刻に近いビデオフォンを優先的に撮影依頼するようにしたので、現在の時刻に近い位置情報を有するビデオフォンを優先的に選定することから、そのビデオフォンの所有者は、位置情報が得られてからあまり移動していないことが予想され、信頼性のある位置情報に基づいてビデオフォンを選定することができ、より確実に撮影対象の位置に最も近いビデオフォンに撮影依頼することができる。
【００１７】
実施の形態３．
上記実施の形態１および上記実施の形態２では、映像蓄積装置１側から撮影依頼されたビデオフォンが撮影対象を撮影し、映像蓄積装置１において、受信される映像が撮影依頼したビデオフォンからの映像であれば蓄積するようにしたが、この実施の形態３は、予め登録されたビデオフォンであれば、映像蓄積装置１側からの撮影依頼を待つこと無しに自発的に撮影対象を撮影し、映像蓄積装置１において、受信される映像が撮影依頼したビデオフォンからの映像でなくても、その映像を蓄積するようにしたものである。
【００１８】
次に動作について説明する。
図１０は撮影対象が発生した場合の処理を示すフローチャートであり、先ず、予め登録されたビデオフォンの所有者は、撮影対象の発生現場に遭遇した場合に、映像蓄積装置１側からの撮影依頼無しに自発的に映像蓄積装置１に対し接続し、ビデオフォンのカメラにより撮影対象を写す（ステップＳＴ４１）。
映像蓄積装置１のサーバ２では、登録者かどうかを判定して、登録者であればビデオフォンからの音声情報および映像情報を、データベース３の蓄積映像情報テーブルに蓄積する（ステップＳＴ４２）。
さらに、ビデオフォンの所有者は、そのビデオフォンを用いて文字情報からなる映像情報のタイトル（表題）やコメント等を入力する（ステップＳＴ４３）。
映像蓄積装置１のサーバ２では、受信された映像情報のタイトル（表題）やコメント等により蓄積映像情報テーブルを更新する（ステップＳＴ４４）。
【００１９】
以上のように、この実施の形態３によれば、予め登録されたビデオフォンからネットワーク４、５を通じて映像が受信された場合に、そのビデオフォンが撮影依頼されたものでなくても、その映像を蓄積するようにしたので、撮影対象の発生を即座に把握することができない場合であっても、予め登録されたビデオフォンの所有者が撮影対象に遭遇すれば、その撮影対象の映像を送信し、映像蓄積装置１では、その映像を蓄積することができ、機動性に富んだ取材を行うことができる。
【００２０】
実施の形態４．
図１１はこの発明の実施の形態４によるネットワークに接続された映像蓄積配信装置を示す構成図であり、図において、映像蓄積配信装置７は、各種情報を送受信するサーバ２と、各種情報を蓄積するデータベース３とを備えたものである。
この実施の形態４は、蓄積された情報に基づいて、映像のタイトル（表題）および撮影位置からなる配信映像一覧を作成し、ビデオフォン（視聴端末）６ｃからネットワーク４，５を通じた配信映像一覧の配信要求があれば、その配信映像一覧をビデオフォン６ｃに配信し、ビデオフォン６ｃからネットワーク４，５を通じた配信映像一覧のうちの選択指示があれば、その選択指示に応じた映像をビデオフォン６ｃに配信するものである。
【００２１】
次に動作について説明する。
図１２は配信処理を示すフローチャートであり、先ず、上記実施の形態１から上記実施の形態３に示した処理により、撮影側のビデオフォン６ａを登録し、ビデオフォン６ａの位置情報を取得し、撮影対象が発生し、その撮影対象の位置に近い位置情報を有するビデオフォン６ａを検索し、その検索したビデオフォン６ａに撮影依頼し、その撮影依頼したビデオフォン６ａからの映像を蓄積し、図７に示したような蓄積映像情報テーブルがデータベース３に蓄積されているものとする。
映像蓄積配信装置７のサーバ２は、映像蓄積配信装置７において蓄積された全映像に関する蓄積映像情報テーブルに基づいて、その中で配信可能な映像に関する配信情報テーブルを作成する（ステップＳＴ５１）。
図１３は配信情報テーブルを示す説明図であり、図では、撮影端末ＩＤ、撮影位置情報（緯度）、撮影位置情報（経度）、撮影開始時刻、タイトル（表題）、および分配端末数の各項目から構成されており、現在映像配信中の端末数を示す分配端末数以外は、蓄積映像情報テーブルの所定の項目を複写するだけで配信情報テーブルを作成することができる。
【００２２】
サーバ２は、その配信情報テーブルに基づいて映像のタイトル、映像の撮影位置、および撮影開始時刻等を含む配信可能な配信映像一覧を作成する。
ここで、視聴側のビデオフォン６ｃからネットワーク４，５を通じた配信映像一覧の配信要求があれば、その配信映像一覧をビデオフォン６ｃに配信する（ステップＳＴ５２：配信映像一覧供給手段）。
さらに、ビデオフォン６ｃにおいて、視聴者がその配信映像一覧のうち視聴したい映像をクリックにより選択すれば（ステップＳＴ５３）、サーバ２では、データベース３に蓄積された配信情報テーブルのその選択指示に応じた映像の分配端末数を参照し、その分配端末数に１を加えても映像蓄積配信装置７の分配上限値を超えない場合には、その分配端末数に１を加えて（ステップＳＴ５４）、その選択指示に応じた映像をビデオフォン６ｃに配信する（ステップＳＴ５５：映像配信手段）。
【００２３】
以上のように、この実施の形態４によれば、配信情報テーブルから映像のタイトルおよび撮影位置等からなる配信映像一覧を作成し、その配信映像一覧を視聴者側のビデオフォン６ｃに配信し、ビデオフォン６ｃからのネットワーク４，５を通じた配信要求に応じて配信映像一覧のうちのいずれか選択された映像をビデオフォン６ｃに配信するようにしたので、視聴者としては、配信映像一覧を閲覧要求すれば、映像のタイトルおよび撮影位置等からなる配信映像一覧がビデオフォン６ｃに配信され、その配信映像一覧の中から視聴したい映像を選択して配信要求すれば、その映像がビデオフォン６ｃに配信され、映像蓄積配信装置７に蓄積された映像を視聴することができる。
【００２４】
実施の形態５．
この実施の形態５は、映像蓄積配信装置７において、撮影側のビデオフォン６ａからネットワーク４，５を通じた映像の受信と、その受信された映像の視聴側のビデオフォン６ｃへの配信とを同時に行うようにしたものである。
【００２５】
次に動作について説明する。
図１４は撮影対象が発生した場合の処理を示すフローチャートであり、先ず、ビデオフォン６ａの所有者は、そのビデオフォン６ａを用いて文字情報からなる映像情報のタイトル（表題）やコメント等を入力する（ステップＳＴ４３）。映像蓄積配信装置７のサーバ２では、受信された映像情報のタイトル（表題）やコメント等により配信情報テーブルのレコードを追加する（ステップＳＴ６１）。
その後、ビデオフォン６ａから映像蓄積配信装置７に接続し、ＴＶ電話機能を使いビデオフォン６ａのカメラにより撮影対象を写し、映像情報を映像蓄積配信装置７に送信する（ステップＳＴ６２）。なお、この映像情報の送信により、配信情報テーブルが更新される。
【００２６】
図１５は配信処理を示すフローチャートであり、先ず、サーバ２は、ステップＳＴ６１，ステップＳＴ６２で更新された配信情報テーブルに基づいて配信可能な配信映像一覧を作成し、視聴側のビデオフォン６ｃから配信映像一覧の配信要求があれば、その配信映像一覧をビデオフォン６ｃに配信する（ステップＳＴ５２）。
ビデオフォン６ｃにおいて、視聴者がその配信映像一覧のうち視聴したい映像、この場合はビデオフォン６ａから受信される映像をクリックにより選択すれば（ステップＳＴ５３）、サーバ２では、配信情報テーブルの分配端末数に１を加えて（ステップＳＴ５４）、ビデオフォン６ａから受信される映像情報をそのままビデオフォン６ｃに配信する（ステップＳＴ７１）。
【００２７】
図１６は視聴終了処理を示すフローチャートであり、先ず、視聴側のビデオフォン６ｃにおいて、視聴を終了したい場合には、映像蓄積配信装置７との接続を切断し（ステップＳＴ８１）、映像蓄積配信装置７のサーバ２では、配信情報テーブルの分配端末数から１を減じる（ステップＳＴ８２）。
図１７は撮影終了処理を示すフローチャートであり、先ず、撮影側のビデオフォン６ａにおいて、撮影を終了したい場合には、映像蓄積配信装置７との接続を切断し、映像蓄積配信装置７のサーバ２では、配信情報テーブルからステップＳＴ６１で追加されたレコードを削除し（ステップＳＴ９１）、撮影側のビデオフォン６ａから送られてくる映像を視聴中のビデオフォンがある場合に、その接続を切断する（ステップＳＴ９２）。
【００２８】
以上のように、この実施の形態５によれば、撮影側のビデオフォン６ａからネットワーク４，５を通じた映像の受信と、その受信された映像の視聴側のビデオフォン６ｃへの配信とを同時に行うようにしたので、視聴者としては、現在進行中の映像を生で視聴することができる。
【００２９】
実施の形態６．
この実施の形態６は、映像蓄積配信装置７において、視聴側のビデオフォン６ｃからのネットワーク４，５を通じた配信映像一覧の閲覧要求に応じて、そのビデオフォン６ｃの位置情報をネットワーク４，５を通じて取得し、配信映像一覧の撮影位置が、その取得したビデオフォン６ｃの位置情報に近い項目を優先的に配置されるように配信映像一覧を作成し、配信するようにしたものである。
【００３０】
次に動作について説明する。
図１８は配信映像一覧の配信処理を示すフローチャートであり、先ず、視聴側のビデオフォン６ｃの所有者は、映像蓄積配信装置７に配信映像一覧の閲覧要求する（ステップＳＴ１０１）。
映像蓄積配信装置７のサーバ２では、ビデオフォン６ｃからのネットワーク４，５を通じた配信映像一覧の閲覧要求に応じて、そのビデオフォン６ｃの位置情報をネットワーク４，５を通じて取得する。そして、配信映像一覧の撮影位置が、その取得したビデオフォン６ｃの位置情報に近い項目を優先的に配置されるように配信映像一覧を作成し、作成した配信映像一覧をビデオフォン６ｃに配信する（ステップＳＴ１０２：配信映像一覧供給手段）。例えば、ビデオフォン６ｃの位置情報に映像の撮影位置が近い順に上から下へと配列された配信映像一覧が配信される。
ビデオフォン６ｃでは、自身の位置に近い順に配列された配信映像一覧から視聴したい映像を選択する（ステップＳＴ１０３）。
【００３１】
以上のように、この実施の形態６によれば、視聴側のビデオフォン６ｃからの配信映像一覧の閲覧要求に応じて、そのビデオフォン６ｃの位置情報をネットワーク４，５を通じて取得し、配信映像一覧の撮影位置が、その取得したビデオフォン６ｃの位置情報に近い項目を優先的に配置されるように配信映像一覧を作成し、配信するようにしたので、視聴者としては、自身に近い位置で撮影された映像を優先的に選択して視聴することができる。
なお、この実施の形態６に示したように、視聴側のビデオフォン６ｃの位置に近い撮影位置を優先した配信映像一覧で配信映像を選択させ、上記実施の形態５に示したように、生の映像を配信するようにしても良く、この場合は、視聴側のビデオフォン６ｃの所有者が、現在位置を基準にその近辺で撮影している生映像を選択して見ることができる。
【図面の簡単な説明】
【００３２】
【図１】この発明の実施の形態１によるネットワークに接続された映像蓄積装置を示す構成図である。
【図２】ビデオフォンの登録処理を示すフローチャートである。
【図３】ビデオフォン管理テーブルを示す説明図である。
【図４】ビデオフォンの位置情報の取得処理を示すフローチャートである。
【図５】位置情報テーブルを示す説明図である。
【図６】撮影対象が発生した場合の処理を示すフローチャートである。
【図７】蓄積映像情報テーブルを示す説明図である。
【図８】この発明の実施の形態２によるネットワークに接続された映像蓄積装置を示す構成図である。
【図９】撮影対象が発生した場合の処理を示すフローチャートである。
【図１０】この発明の実施の形態３による撮影対象が発生した場合の処理を示すフローチャートである。
【図１１】この発明の実施の形態４によるネットワークに接続された映像蓄積配信装置を示す構成図である。
【図１２】配信処理を示すフローチャートである。
【図１３】配信情報テーブルを示す説明図である。
【図１４】この発明の実施の形態５による撮影対象が発生した場合の処理を示すフローチャートである。
【図１５】配信処理を示すフローチャートである。
【図１６】視聴終了処理を示すフローチャートである。
【図１７】撮影終了処理を示すフローチャートである。
【図１８】この発明の実施の形態６による配信映像一覧の配信処理を示すフローチャートである。
【符号の説明】
【００３３】
１  映像蓄積装置、２  サーバ、３  データベース、４  コンピュータネットワーク（ネットワーク）、５  携帯ネットワーク（ネットワーク）、６ａ，６ｂ  ビデオフォン（撮影端末）、６ｃ  ビデオフォン（視聴端末）、７  映像蓄積配信装置。
【図１】
2005051546.tif 000003
【図２】
2005051546.tif 000004
【図３】
2005051546.tif 000005
【図４】
2005051546.tif 000006
【図５】
2005051546.tif 000007
【図６】
2005051546.tif 000008
【図７】
2005051546.tif 000009
【図８】
2005051546.tif 000010
【図９】
2005051546.tif 000011
【図１０】
2005051546.tif 000012
【図１１】
2005051546.tif 000013
【図１２】
2005051546.tif 000014
【図１３】
2005051546.tif 000015
【図１４】
2005051546.tif 000016
【図１５】
2005051546.tif 000017
【図１６】
2005051546.tif 000018
【図１７】
2005051546.tif 000019
【図１８】
2005051546.tif 000020